(57)【要約】      （修正有）【課題】通常の座布団としても座り心地が良く、また、枕としての使用、体重が脚に加わり難くする態様が採用でき、他にも機能すること。【解決手段】基準座布団部３０と内座布団部４０と外座布団部５０で構成される。基準座布団部３０と内座布団部４０は内接続部Ｃ１によって接続され、両者を重ね合わせが可能であり、複数個のスナップボタンａ〜ｌによって両者間の接続も自在である。また、内座布団部４０と外座布団部５０は外接続部Ｃ２によって接続され、両者を重ね合わせが可能であり、複数個のスナップボタンａ〜ｌによって両者間が接続自在である。したがって、意匠性を表現した基準座布団部３０に対して、外接続部Ｃ２によって接続した内座布団部４０及び外座布団部５０を、内接続部Ｃ１によって重ね、スナップボタンａ〜ｌによって両者間を接続自在とし、二重の厚みの座布団として使用可能としたものである。【選択図】図１
2018143700.tif 000002
【特許請求の範囲】
【請求項１】
縦長がＸ、横長がＹで平面積がＸ・Ｙの基準座布団部と、
前記基準座布団部の一辺に形成された内接続部と、
前記内接続部の前記基準座布団部の反対側に配設された縦長がＸ／２または横長がＹ／２で平面積がＸ・Ｙ／２のハーフ座布団部からなる内座布団部と、
前記内座布団部の前記基準座布団部の反対側の一辺に形成された外接続部と、
前記外接続部の前記基準座布団部の反対側に配設された縦長がＸ／２または横長がＹ／２で平面積がＸ・Ｙ／２のハーフ座布団部からなる外座布団部と、
前記基準座布団部及び前記内座布団部及び前記外座布団部の各々に内蔵される内蔵カバー体に収容されたクッション材と、
前記基準座布団部と前記内座布団部及び前記外座布団部を二重に重ね合わせた状態で両者間を接続またはその解除を自在に配設した複数個のスナップボタンと
から構成したことを特徴とする長座布団。
【請求項２】
前記縦長がＸ、横長がＹで平面積がＸ・Ｙの基準座布団部は、縦長がＸ／２または横長がＹ／２で平面積がＸ・Ｙ／２からなる２枚のハーフ座布団部及びその間の接続部からなることを特徴とする請求項１に記載の長座布団。
【請求項３】
前記二重に重ね合わせた状態で両者間を接続またはその解除を自在に配設した複数個のスナップボタンは、更に、片側のみが三重に重ね合わせた状態で両者間を接続またはその解除を自在に配設したことを特徴とする請求項１に記載の長座布団。
【発明の詳細な説明】
【技術分野】
【０００１】
本発明は、一辺が３０〜８０ｃｍの普通サイズの略正方形(縦横の面積がＸ・Ｙ≒Ｘ2)の座布団を略２個接続してなる寸法(縦横の面積が２Ｘ・Ｙ)の長座布団を有し、複数用途に使用できる機能性の高い長座布団に関するものである。
【背景技術】
【０００２】
通常の座布団は、一枚の所定厚の弾性体、クッション体で構成されるので、用途によって、その座布団の厚みを変更することができない。そこで、使用目的によって、その厚みを変えることができる座布団として特許文献１に掲載のものがある。特許文献１は次のような特徴を有する。
(１)  座布団を重ねないで１枚で使用する場合、普通サイズの座布団を２枚隣接して並    べた２倍サイズの長座布団となる。
(２)  座布団を重ねて使用する場合、普通サイズの座布団を上下に２枚重ねた形態とし    、２倍のクッション性が得られる。
(３)  座布団を２つ折りに重ねたものを加え、３枚重ねとして使用する場合、枕として    の使用が可能となり、かつ、必要なクッション性が得られる。
(４)  ２つ折りした座布団で上下に４枚重ねて高い枕として使用できる。また、当該４    枚重ねの座布団を臀部の下に置くことにより、普通サイズの座布団の半分を４枚重ね    て座ることができ、その高さの差により、足を組んだり、伸ばしたりして着座できる    。
【０００３】
このように、１枚の普通サイズ座布団に折り目を入れることにより、２枚重ねにして使用可能となり、折り目によって座布団の用途に応じた使用ができる。
しかし、座布団は柔らかくて、弾性があり、また、座布団を使用する人は座布団の上で静止状態を維持することがないから、単に座布団を複数枚重ねて使用しても、座布団は元の正方形に戻ろうとするベクトル力により、使用者が不安定な状態を感じて、リラックスできない状態で使用されている。
【０００４】
そこで、座布団を折り重ねて使用しても、安定化する構成を開示させた特許文献としては、特許文献２の掲載を挙げることができる。なお、(  )内の番号は特許文献２に記載の番号であり、本願発明の実施の形態とは関係がないものである。
特許文献２に掲載のものは、横長な長座布団(１)の一側に枕として兼用可能な巾狭なマット部(２)が連設されている。また、マット部(２)に対する長座布団(１)の長さの比率は概ね１対２．５となるように構成されている。また、長座布団(１)とマット部(２)は、内部にスポンジやウレタンフォーム等から成る柔軟なクッション材(３)を有し、これらクッション材(３)を布地のカバー(４)で包んで縫着したものである。この両クッション材(３)を包むカバー(４)は、その表面側が長座布団(１)とマット部(２)に跨がって連続しているが、裏面側は、両クッション材(３)をそれぞれ包み込むようにして縫着することによって、両クッション材(３)の境界部分に切込部(５)が形成されている。
このため、切込部(５)から前記マット部(２)を長座布団(１)の表面側に折り重ねることができる。更に、長座布団(１)とマット部(２)のカバー(４)の周側面にファスナ(６)で開閉する開口部(１Ａ，２Ａ)が形成され、この開口部(１Ａ，２Ａ)から内部の両クッション材(３)を取出すことできる。
【０００５】
このように構成される長座布団(１)は、単にクッション或いは座布団として用いる場合、長座布団(１)とマット部(２)をフラットにして使用している。そして、枕付き長座布団(１)として使用する場合、マット部(２)を長座布団(１)の表面側に折り重ねれば、長座布団(１)上に枕となるマット部(２)が折り重なって形成される。このように、本実施例では、必要に応じて、長座布団(１)とマット部(２)をフラットにして使用することも、枕付きの長座布団としても使用することもでき、また、ファスナ(６)で長座布団(１)とカバー(４)の開口部(１Ａ，２Ａ)を開閉すれば、内部の両クッション材(３)を簡単に着脱できるから、クッション材(３)を包むカバー(４)だけを家庭で簡単に洗濯することができる。
【先行技術文献】
【特許文献】
【０００６】
【特許文献１】特開２００２−３００９４１号公報
【特許文献２】実用新案登録第３０１００２６号公報
【発明の概要】
【発明が解決しようとする課題】
【０００７】
このように、特許文献１は、通常の座布団を２倍の長さにしたり、折り曲げて枕等に使用できる旨を説示している。しかし、具体的な対応については開示するものがなく、特に、座布団は所定の厚さを有し、かつ、その膨らみは弾性を有しているから、着座する人の安定性に問題があった。
そこで、特許文献２では、座布団を複数枚に折り重ねて使用しても、安定化した構成にできる旨を開示している。
【０００８】
即ち、長座布団を単にクッション或いは座布団として用いる場合、長座布団とマット部をフラットにして使用している。枕付き長座布団として使用する場合、マット部を長座布団の表面側に折り重ねれば、長座布団上に枕となるマット部が折り重なって高く形成される。必要に応じて、長座布団とマット部をフラットにして使用することも、枕付きの長座布団としても使用することもできる。
しかし、従来の長座布団を含む座布団は、座布団の一部を強制的に折り重ねられているものであるから、外力の加え方によって元に戻る傾向にある。特に、料理屋等で食事しているとき、上下の座布団にずれが生ずると、座り心地が悪くなり、かつ、店の評価も低下させる可能性がある。
【０００９】
そこで、本発明は、かかる従来の問題点を解消すべく、通常の座布団としても座り心地が良く、また、枕としての使用ができ、体重が脚に加わり難くする形態となり、他にも機能することができる長座布団の提供を課題とするものである。
【課題を解決するための手段】
【００１０】
請求項１の発明にかかる長座布団は、縦長がＸ、横長がＹで平面積がＸ・Ｙの基準座布団部と、前記基準座布団部の一辺に形成された内接続部と、前記内接続部の前記基準座布団部の反対側に配設された縦長がＸ／２または横長がＹ／２で平面積がＸ・Ｙ／２のハーフ座布団部からなる内座布団部と、前記内座布団部の前記基準座布団部の反対側の一辺に形成された外接続部と、前記外接続部の前記基準座布団部の反対側に配設された縦長がＸ／２または横長がＹ／２で平面積がＸ・Ｙ／２のハーフ座布団部からなる外座布団部とを具備し、前記基準座布団部及び前記内座布団部及び前記外座布団部の各々に内蔵される内蔵カバー体に収容されたクッション材と、前記基準座布団部と前記内座布団部及び前記外座布団部を二重に重ね合わせた状態で両者間を接続またはその解除を自在に配設した複数個のスナップボタンとから構成している。
【００１１】
ここで、スナップボタンには、ドットボタンを含み、前記基準座布団部と前記内座布団部及び前記外座布団部を重ね合わせた状態で両者間を接続または解除自在としたものである。
また、基準座布団部及び内座布団部及び外座布団部は、意匠性を良くする生地等で形成されている。
ここで、上記基準座布団部は、座布団カバー、クッション材等を含む構成で、その一辺が内接続部となっている。前記基準座布団部は、前記内座布団部及び前記外座布団部とすることもできる。
また、上記内接続部は、前記基準座布団部の一辺と内座布団部の一辺とが接続されるものである。前記内接続部は後述する外接続部と対向する側に配設される。
【００１２】
そして、上記内座布団部は、前記内接続部に一辺が接続されてなる縦長がＸ／２または横長がＹ／２で平面積がＸ・Ｙ／２のハーフ座布団部からなり、意匠性を表現したものである。各ハーフ座布団部の寸法でも使用できるものである。この内座布団部の寸法は、ハーフ座布団部を狭くすることにより、赤ちゃんのオムツ交換、着替え、仮の寝具の敷布団とすることができる。
更に、上記外接続部は、前記内接続部に対向するもので、前記内座布団部の外座布団部の一辺と接続するものである。前記外接続部及び前記内接続部は、表裏の座布団カバーを縫製したものとすることができる。
更にまた、上記外座布団部は、前記内座布団部と同様、前記ハーフ座布団部に一辺が接続されてなり、外側に位置する意匠性を表現したものである。
【００１３】
加えて、上記内蔵カバー体に収容されたクッション材は、前記基準座布団部及び前記内座布団部及び前記外座布団部に各々内蔵されるもので、通常、クッション材は均一厚みの発泡樹脂またはゴム、綿花等が使用される。ポリエステルファイバー等の短繊維からなる羽毛代替え素材としての粒わた、球状綿と呼ばれる綿（わた）を使用してもよい。
複数個のスナップボタンは、前記基準座布団部と前記内座布団部及び前記外座布団部を重ね合わせた状態で両者間を接続またはその解除自在とするものである。このスナップボタンは、ドットボタンとも呼称されているボタンであり、接着布(商標「マジックテープ」)を使用すると、洗濯の際に糸くずを巻き込み、爾後、接着力が低下するが、スナップボタンは接合力が大きく、横ずれに対しても強く、通常の使い方では容易に外れないことが確認された。
また、スナップボタンは正確な位置で固定できるから、長座布団としての意匠性が良いし、正確な位置で固定されるから、形状保持の安定性が良い。
ここで、片側スナップボタンとは、スナップボタンは対で機能するものであり、対を形成する両者は形状を異にしているが、その対の何れかのスナップボタンを特定するときには、相手方のスナップボタンが存在して機能するものである。故に、片側スナップボタンとは１／２のスナップボタンであり、単なるスナップボタンは一対をなすものである。
【００１４】
請求項２の発明にかかる長座布団の前記基準座布団部は、縦長Ｘ、横長Ｙで平面積がＸ・Ｙの１枚の座布団で構成したものである。前記縦長がＸ、横長がＹで平面積がＸ・Ｙの基準座布団部は、縦長がＸ／２または横長がＹ／２で平面積がＸ・Ｙ／２からなる２枚のハーフ座布団部及びその間の内接続部または外接続部からなる接続部を含むものである。
したがって、各１枚の基準座布団部と内座布団部及び外座布団部の計３枚分の座布団または内座布団部及び外座布団部の計４枚分の座布団からなるものである。
【００１５】
請求項３の発明にかかる長座布団の前記二重に重ね合わせた状態で両者間を接続またはその解除を自在に配設した複数個のスナップボタンは、更に、片側のみが三重に重ね合わせた状態で両者間を接続またはその解除を自在に配設したスナップボタンを具備するものである。
ここで、片側のみが三重に重ね合わせた状態で両者間を接続またはその解除を自在に配設したスナップボタンは、一対または二対以上とすることができる。
【発明の効果】
【００１６】
請求項１の発明の長座布団のクッション性は、基準座布団部と内座布団部と外座布団部で得られる。基準座布団部と内座布団部は内接続部によって接続され、両者の重ね合わせが可能であり、複数個のスナップボタンによって両者間を接続またはその解除が自在である。また、基準座布団部と外座布団部は外接続部によって接続され、両者の重ね合わせが可能であり、複数個の前記スナップボタンによって両者間を接続またはその解除が自在である。
したがって、縦長Ｘ、横長Ｙで平面積Ｘ・Ｙの意匠性を表現した基準座布団部に対して、外接続部によって接続した内座布団部及び外座布団部を、内接続部によって重ね、スナップボタンによって両者間を接続または解除自在としたもので、前記スナップボタンによって縦方向、横方向の相対移動を禁止し、二重の厚みの座布団として使用可能としたものである。
【００１７】
また、内座布団部と外座布団部を外接続部によって重ね、スナップボタンによって両者間を接続または解除自在としたものを、縦長Ｘ、横長Ｙで平面積Ｘ・Ｙの意匠性を表現した基準座布団部に接続し、前記スナップボタンによって縦方向、横方向の相対移動が禁止され、枕付きの長座布団として、座椅子と組み合わせて腰座布団としても使用できる。また、特殊な例として、防災頭巾として内座布団部と外座布団部の間に、頭部を入れることができる。このとき、基準座布団部は児童生徒の肩から背中を覆うことができる。
【００１８】
更に、内座布団部と外座布団部を外接続部によって基準座布団部との間が折れるから、座椅子の座布団として使用できる。また、椅子の座布団としても使用できる。
加えて、縦長Ｘ、横長Ｙで平面積Ｘ・Ｙの意匠性を表現した基準座布団部に重ねて内座布団部を内接続部によって、及び外座布団部を外接続部によって重ね、前記スナップボタンによって両者間を接続またはその解除を自在とする。これによって、縦長Ｘ、横長Ｙで平面積Ｘ・Ｙの意匠性を表現した基準座布団部のＹ／２の位置に、前記スナップボタンによって縦方向、横方向の相対移動が禁止された三重の座布団が得られる。これは、胡坐をかくときの臀部枕、腰枕等として使用できる。
【００１９】
請求項２の発明の長座布団の前記基準座布団部は、縦長Ｘ、横長Ｙで平面積Ｘ・Ｙの１枚の座布団で構成したものであるから、請求項１に記載の効果に加えて、二重に重ねる場合には、長座布団であることが視認されない状態で使用可能となる。また、縦長Ｘ、横長Ｙで平面積Ｘ・Ｙの意匠性を表現した基準座布団部が、座布団の基礎になるので、人が腰を下ろし、話をしても、座布団が臀部の下から移動することがない。また、二重に重ねた座布団の内座布団部と外座布団部は、外接続部も重ねられるから、その外接続部が形成する溝に乳幼児を寝させると、寝返り等で容易に転がることがなく、寝させることができる。
【００２０】
請求項３の発明の長座布団の前記二重に重ね合わせた状態で両者間を接続またはその解除を自在に配設した複数個のスナップボタンは、更に、片側のみが三重に重ね合わせた状態で両者間を接続またはその解除を自在に配設したものであるから、請求項１に記載の効果に加えて、片側のみが三重に重ね合わせた状態でも安定した状態を維持できる。また、長座布団を三重に重ね合わせた状態では、人体の荷重が分散され、長時間同じ体制を維持できる。
【図面の簡単な説明】
【００２１】
【図１】図１は本発明の実施の形態の長座布団を展開した斜視図である。
【図２】図２は本発明の実施の形態の他の事例の長座布団を展開した斜視図である。
【図３】図３は本発明の実施の形態の長座布団を二重に折り重ねた斜視図である。
【図４】図４は本発明の実施の形態の他の事例の長座布団を二重に折り重ねた斜視図である。
【図５】図５は本発明の実施の形態の長座布団の一部を二重に折り重ねた斜視図である。
【図６】図６は本発明の実施の形態の長座布団を三重に折り重ねた状態を有する斜視図である。
【図７】図７は本発明の実施の形態の長座布団の三重に折り重ねた使用状態を示す斜視図である。
【図８】図８は本発明の実施の形態の長座布団を乳幼児のオムツ替えとして使用する状態を示す斜視図である。
【図９】図９は本発明の実施の形態の長座布団の防災頭巾として使用の正面図である。
【図１０】図１０は本発明の実施の形態の長座布団を椅子に使用し、後に、防災頭巾として使用する事例で、(ａ)は専用紐を用いた状態を示す斜視図、(ｂ)は紐の平面図である。
【図１１】図１１は本発明の実施の形態の長座布団を座椅子に配設した事例を示す斜視図である。
【発明を実施するための形態】
【００２２】
以下、本発明の実施の形態について、図面に基づいて説明する。なお、実施の形態において、図示の同一記号及び同一符号は、同一または相当する機能部分であるから、ここではその重複する説明を省略する。
【００２３】
［実施の形態］
図１において、内蔵カバー体３１に収容されたクッション材３２は、ポリエチレンテレフタレート、ウレタンフォーム等からなり、所定の厚みの直方体形状(板状)の緩衝材が使用される。クッション材３２としては、ポリエステルファイバー等の短繊維からなる羽毛代替え素材としての粒わた、球状綿と呼ばれる綿（わた）、或いは綿花の場合には、その断面が湾曲するような膨らみのある形状にして綿入れしたものでもよい。
或いは、クッション材３２として立体網状構造体としてもよい。即ち、溶融する合成樹脂材料を連続線条体として押し出し、多数本が立体的に不規則に絡み合って、相互に溶着され、所定の空隙率の空隙を有して弾性を有する構造体である。他に、発泡スチロール、気泡緩衝材等を使用してもよい。
【００２４】
なお、立体網状構造体については、特開２００１−３２８１５３号公報及び特開２００６−９７２２３号公報、特開平０５−１０６１５３号公報、特開平０７−０６０８６１号公報、特開平０７−１７３７５２号公報、特開平０７−１８９１０５号公報等で周知であるので、その説明を省略する。
また、粒わた、球状綿と呼ばれる綿は、特公平１−２０６２４号公報、特公平２−５８９５３号公報、特公平２−５８９５４号公報、特公平３−７９４６５号公報、特公平３−４５１３４号公報、特開２０１６−１０１３６１号公報等で周知であるので、その説明を省略する。
【００２５】
また、内蔵カバー体３１の布地としては、適当に滑りのよい繊維として、通常、レーヨン、ナイロン、アセテート、ポリエステル、アクリル、ポリ塩化ビニル、ポリウレタン等の薄手の生地から選択されているが、本実施の形態では、内蔵カバー体３１を袋状に形成し、その中にクッション材３２を収容するものであればよい。したがって、４辺はマチ付きになっておらず、厚みが殆どない状態である。即ち、両側を曲線として、両側の辺に落ち着く二乗曲線の形態としている。しかし、本発明を実施する場合には、４辺をマチ付きにして、所定の厚みが得られるように構成してもよい。
【００２６】
ここでは、図１に示す基準座布団部３０を構成する内蔵カバー体３１及びクッション材３２について説明したが、隣接する内座布団部４０及び外座布団部５０も同様な構成である。また、図２に示す他の事例の、基準座布団部３０に替わる内座布団部２０及び外座布団部１０も同様である。
内座布団部４０及び外座布団部５０に内蔵される内蔵カバー体４１と内蔵カバー体５１は、同一寸法で形成されているから、内蔵カバー体４１，５１の中にクッション材４２，５２を収納し、本願発明の部品点数を少なくしている。
【００２７】
座布団カバー３４，４４，５４は内蔵カバー体３１，４１，５１を収容するものであり、座布団カバー４４と座布団カバー５４は、同一寸法の、クッション材４２を内蔵する内蔵カバー体４１と、クッション材５２を内蔵する内蔵カバー体５１から構成されている。座布団カバー３４，４４，５４は各一辺がファスナー３３，４３，５３を有しており、内蔵カバー体３１，４１，５１の装着または取外しが容易になっている。したがって、ファスナー３３，４３，５３を開き、内蔵カバー体３１，４１，５１を取出せば、座布団カバー３４，４４，５４を洗濯することができる。また、ファスナー３３，４３，５３を開き、内蔵カバー体３１，４１，５１を装着することもできる。
【００２８】
座布団カバー１４，２４，３４，４４，５４は、必要に応じて、適当な角綴じ、中央の中綴じによって綿の偏りが生じないようにしているが、内蔵カバー体１１，２１（図示省略），３１，４１，５１で対応している場合にはそれを省略してもよい。
座布団カバー１４，２４，３４，４４，５４は、意匠性を出すために所定の織り方、色彩、柄・模様等が選択された生地により形成されている。
【００２９】
これらクッション材３２を収容した内蔵カバー体３１、及びファスナー３３付きの座布団カバー３４は、基準座布団部３０を構成している。また、基準座布団部３０には、図示の例では、６個の片側スナップボタンａ，ｂ，ｃ，ｄ，ｅ，ｆが配設されている。また、内座布団部４０には片側スナップボタンｇ，ｈ，ｉ，ｊ及び外座布団部５０の２個のスナップボタンｋ，ｌが配設されている。これらの片側スナップボタンａ，ｂ，ｃ，ｄ，ｅ，ｆ及び片側スナップボタンｇ，ｈ，ｉ，ｊ及び片側スナップボタンｋ，ｌは、長座布団の大きさが縦長Ｘ、横長２Ｙであると、Ｙ辺から３〜１０ｃｍ程度中側に入った位置に略均等割した距離に配設される。それらに対応して、内座布団部４０の４個の片側スナップボタンｇ，ｈ，ｉ，ｊは基準座布団部３０のｃ，ｄ，ｅ，ｆと接続され、４個のスナップボタンｃ−ｉ，ｄ−ｊ，ｅ−ｇ，ｆ−ｈが接続される。更に、必要に応じて、基準座布団部３０のａ，ｂは外座布団部５０の片側２個のスナップボタンｋ，ｌが、２個のスナップボタンａ−ｋ，ｂ−ｌとして接続される。
【００３０】
そして、基準座布団部３０の上に内座布団部４０を重ね、更に、外座布団部５０をその上に重ねる三重に重ねた場合には、基準座布団部３０のｃ，ｄ，ｅ，ｆと内座布団部４０の片側スナップボタンｇ，ｈ，ｉ，ｊは、４個のスナップボタンｃ−ｉ，ｄ−ｊ，ｅ−ｇ，ｆ−ｈが接続される。このとき、外座布団部５０の片側２個のスナップボタンｋ，ｌ側の上面となり接続相手がなくなりフリーとなるので、外座布団部５０の片側２個のスナップボタンｋ，ｌの反対面に片側スナップボタンｍ，ｎを取付け、内座布団部４０の片側スナップボタンｇ，ｈの反対面側に片側スナップボタンｏ，ｐを取付け、それらを２個のスナップボタンｍ−ｏ，ｎ−ｐとして接続させれば、安定した状態で三重に積載できる。しかし、２個のスナップボタンｍ−ｏ，ｎ−ｐを用いなくても、外接続部Ｃ２の間隔が大きく離れていなければ、安定に載置できる。
【００３１】
特に、防災頭巾として使用するものにおいては、内座布団部４０の基準座布団部３０側に２個の片側スナップボタンｇ，ｈと係合する片側スナップボタンｋ，ｌが必要となる。２個の片側スナップボタンｇ，ｈは片側スナップボタンｋ，ｌのみ係合できればよい。
したがって、児童生徒用の防災頭巾として使用しないものにおいては、２個のスナップボタンｍ−ｏ，ｎ−ｐを省略してもよい。勿論、外座布団部５０の片側２個のスナップボタンｋ，ｌ側がフリーとなってもよいものでは、２個のスナップボタンｍ−ｏ，ｎ−ｐを省略してもよい。
【００３２】
本実施の形態の外座布団部５０には、図示のように上面に在る２個の片側スナップボタンｇ，ｈは、長座布団を三重にするとき、接合される相手のスナップボタンが存在していない。即ち、自由端となる。したがって、内座布団部４０の２個の片側スナップボタンｇ，ｈの反対面(図１の下面、図２の下面)側にも、及び外座布団部５０の反対面側にも、２個または４個の片側スナップボタンの配設が望ましい。
即ち、外座布団部５０の２個の片側スナップボタンｇ，ｈの対向する反対面側にも、外座布団部５０の端部が外接続部Ｃ２の対向側が自由端にならないように、４個の片側スナップボタンｍ，ｎ，ｏ，ｐを設けて、２個のスナップボタンｍ−ｏ，ｎ−ｐで接続するのがよい。
【００３３】
基準座布団部３０と内座布団部４０の座布団カバー３４と座布団カバー４４は、連続する座布団カバー３４と座布団カバー４４の表裏で縫い合わせ、内接続部Ｃ１で接続している。この内接続部Ｃ１は所定の幅、即ち、３〜１０ｃｍの幅だけ厚みがなくなり、生地の倍の厚みとするように全長(縦長Ｘ)を縫製し、機械的強度を増加させ、かつ、相対的に曲げ易くしている。
同様に、内座布団部４０と外座布団部５０の座布団カバー４４と座布団カバー５４は、外接続部Ｃ２で接続している。この外接続部Ｃ２は所定の幅、即ち、３〜１０ｃｍの幅だけ厚みがなくなるように全長(縦長Ｘ)を縫製し、その縫製箇所の機械的強度を増加させ、かつ、曲げ易くしている。
【００３４】
また、図２における内座布団部２０と外座布団部１０を接続する座布団カバー１４及び座布団カバー２４は、外接続部Ｃ３で接続している。この外接続部Ｃ３は所定の幅、即ち、外接続部Ｃ２と同様、３〜１０ｃｍの幅だけ厚みが生地の厚みの２倍になるように全長(縦長Ｘ)を縫製し、機械的強度を増加させ、かつ、曲げ易くしている。逆に、適当な強さの芯材を用いることもある。
本実施の形態では、内接続部Ｃ１と外接続部Ｃ２と外接続部Ｃ３は、同一寸法としているが、本発明を実施する場合には、位置によって異なる幅とすることができる。また、外座布団部１０と内座布団部２０と、基準座布団部３０と内座布団部４０と外座布団部５０の横長との関係で、幅を異にする場合もある。
【００３５】
例えば、図１の外接続部Ｃ２の幅を広くすることにより、その溝が深くなり、図８に示すように、乳幼児のオムツ替え、寝させた場合等に寝返りをうって座布団外に転がり難くなる。また、図２に示す長座布団では、外接続部Ｃ３の上に重なる外接続部Ｃ２の間隔の比較が、数学的に、外接続部Ｃ３＞外接続部Ｃ２とすると、更に、乳幼児を置いたときの安定性が良くなる。しかし、内接続部Ｃ１、外接続部Ｃ２、外接続部Ｃ３の間隔を広くしすぎると、それらを連結する部分にゆとりが出るので、内座布団部２０及び外座布団部１０、基準座布団部３０、内座布団部４０、外座布団部５０の安定性が低下するので、３〜１０ｃｍの範囲が望ましい。
【００３６】
図３は、基準座布団部３０に内座布団部４０及び外座布団部５０を重ねたもので、基準座布団部３０の６個の片側スナップボタンａ，ｂ，ｃ，ｄ，ｅ，ｆは、内座布団部４０の４個の片側スナップボタンｇ，ｈ，ｉ，ｊ及び外座布団部５０の２個の片側スナップボタンｋ，ｌに接続されている。
図３の長座布団は、基準座布団部３０を上にし、内座布団部４０及び外座布団部５０を下にしたものであり、普通の正方形の座布団として使用できる。勿論、図示のように上面を基準座布団部３０に限定されるものではなく、内座布団部４０及び外座布団部５０の面側とすることもできる。
【００３７】
図４は、図２の実施の形態で内座布団部２０及び内接続部Ｃ１で接続された内座布団部４０に対して、外接続部Ｃ３で接続された外座布団部１０、外接続部Ｃ２で接続された外座布団部５０を重ね、二重構造となっている。
勿論、内接続部Ｃ１で接続された内座布団部２０及び内座布団部４０は、図３のように、内座布団部４０及び外座布団部５０に外座布団部１０及び内座布団部２０を被せても重ねた二重構造となる。
図３及び図４と同様、普通の正方形の座布団として使用できる。
【００３８】
また、図５は、図２の実施の形態で示した長座布団で、外座布団部５０を外接続部Ｃ２で折曲げるから、内座布団部４０に対して外接続部Ｃ２で接続された外座布団部５０の高さとなる。即ち、内座布団部４０に外座布団部５０を重ねた二重構造となっている。ここでは、図１に示す基準座布団部３０に対して内接続部Ｃ１で内座布団部４０を接続した長さの構造となっている。
基準座布団部３０及び内座布団部４０の構造を敷布団と見做し、外座布団部５０を枕と見做した構造となる。この枕は、座布団の高さが１枚分増加するから、乳幼児を寝させた場合、気道確保ができ、睡眠中の呼吸が楽になる。
【００３９】
図５に示した実施の形態の外接続部Ｃ２で接続された外座布団部５０と内座布団部４０には、内座布団部４０と外座布団部５０の外接続部Ｃ２の反対側の中央には両者間に開口が生じる。この両者間の開口は、内座布団部４０と外座布団部５０との相対移動となる。この寸法を図９に示すように、児童生徒等の頭が入るように設定すれば、内座布団部４０と外座布団部５０の空間に頭を入れ、基準座布団部３０を肩及び背中側にすれば、地震等の防災頭巾としての使用も可能となる。
【００４０】
図６及び図７は、基準座布団部３０に内座布団部４０と外座布団部５０の三重に重ねた場合の事例である。
三重に重ねた事例は、図１に示す基準座布団部３０または図２に示す長座布団の何れにも対応できる。
図６で説明すると、内接続部Ｃ１で折り曲げて内座布団部４０を重ね、基準座布団部３０の片側スナップボタンｃ，ｄ，ｅ，ｆと内座布団部４０の片側スナップボタンｇ，ｈ，ｉ，ｊ，に接続する。次いで、外座布団部５０を外接続部Ｃ２で折り曲げて内座布団部４０に重ねる。このとき、実施の形態では、外座布団部５０が内座布団部４０にスナップボタンで止められていないが、三重に重ねられている基準座布団部３０と内座布団部４０にスナップボタンに止めがなされているから、座布団カバー５４の生地の反対面(図１の下面)側にスナップボタンを配設するのが望ましい。
【００４１】
これによって、縦長Ｘ、横長Ｙで平面積Ｘ・Ｙの意匠性を表現した基準座布団部３０の１／２の位置に、片側スナップボタンｃ，ｄ，ｅ，ｆと片側スナップボタンｇ，ｈ，ｉ，ｊが接続され、その上に外座布団部５０が積層されるから、縦方向、横方向の相対移動が禁止された三重の座布団が得られる。これは、胡坐をかくときの臀部枕等として使用できる。
本実施の形態の長座布団は、更に、片側のみが三重に重ね合わせた状態で両者間をスナップボタンｍ，ｎで接続またはその解除を自在に配設したものであり、片側のみが三重に重ね合わせた状態でも安定した状態を維持できる。また、長座布団を三重に重ね合わせた状態では、人体の荷重が分散され、長時間同じ体制を維持できる。臀部の荷重を荷重分散して支えることができるから、脚が疲れないし、痺れが切れるようなことがない。
図７についても、基本的には同じであるから、その説明を省略する。
【００４２】
図９は、これを示す実施の形態であり、防災頭巾としての使用例である。
通常、長座布団の置き場所として児童生徒の使用する椅子の背に、図１０（ｂ）のように、別に用意した椅子用紐８０の両端の片側スナップボタン８１，８３を、背後側に半廻転させて、即ち、椅子９０の背に椅子用紐８０の紐８２を廻し、凸の片側スナップボタン８１，８３と凹の片側スナップボタンｋ，ｌと接合できる噛み合わせとし、外座布団部５０を椅子の背に取付ける。
同様に、紐８２の両端に凸の片側スナップボタン８１，８３を取付けた椅子用紐８０を取付け、背後側に半廻転させて、凸の片側スナップボタン８１，８３と凹の片側スナップボタンｉ，ｊと接合して内座布団部４０を取付ける。
【００４３】
また、同様に、基準座布団部３０の脚９３で保持された座部９２には、紐８２の両端に片側スナップボタン８１，８３を取付けた椅子用紐８２を下側に半廻転させて、凹の片側スナップボタン８１，８３と２個の凸のスナップボタンｅ，ｆと接合して基準座布団部３０を取付ける。
なお、凹の片側スナップボタン８１，８３と凸の片側スナップボタンｅ，ｆは、基準座布団部３０を取付けるのに使用しているが、基準座布団部３０の取付けを省略することもできる。
【００４４】
ここで、仮に、地震が発生したとすると、その椅子用紐８０の片側スナップボタン８１，８３を児童生徒が強く引っ張れば、容易にその接続状態が解ける。
次に、椅子９０から長座布団を引き離し、外座布団部５０の片側スナップボタンｋ，ｌと内座布団部４０のスナップボタンｇ，ｈとを接続すると、内座布団部４０と外座布団部５０の距離の中央には開口が生じる。そこに児童生徒等の頭を入れ、基準座布団部３０を肩及び背中側に垂れ下げ、緊急度に応じて、椅子用紐８０の片側スナップボタン８１，８３を使用して、人体の前側で椅子用紐８０の片側スナップボタン８１，８３を接続する。
このようにして、児童生徒は、うつむき加減に歩き、安全に教室、ローカ等から避難できる。また、避難する場所まで距離がある場合には、椅子用紐８０の片側スナップボタン８１を接続すれば、児童生徒の手は、他の生徒の手を握って避難することができる。
【００４５】
次に、基準座布団部３０の片側スナップボタンｅ，ｆは、内座布団部４０の片側スナップボタンｇ，ｈとは反対の接続特性(凹または凸)となる。しかし、基準座布団部３０のスナップボタンｅ，ｆは、接続される対象が内座布団部４０のスナップボタンｇ，ｈに限られるから、予め、基準座布団部３０のスナップボタンｅ，ｆは凹とし、内座布団部４０のスナップボタンｇ，ｈを凸にしておくと、全体がスナップボタンで接続できる。なお、本実施の形態のスナップボタン凹または凸は、本発明を実施する場合には、スナップボタン凹と凸を逆としてもよい。
また、椅子用紐８０は３本存在するから、椅子用紐８０の片側スナップボタン８１，８３を基準座布団部３０または内座布団部２０の片側スナップボタンｅ，ｄ及び片側スナップボタンｃ，ｆをクロス状にたすき掛けをしてもよい。
この実施の形態の長座布団は、図１または図２の実施例として、何れも防災頭巾として使用可能である。
【００４６】
上記実施の形態の長座布団は、縦長Ｘ、横長Ｙで平面積Ｘ・Ｙの意匠性を表現した基準座布団部３０と、基準座布団部３０の一辺と接続された内接続部Ｃ１と、内接続部Ｃ１に一辺が接続されてなる縦長Ｘ、横長Ｙ／２からなり、内側に位置する意匠性を表現した内座布団部４０と、内座布団部４０の一辺と接続された外接続部Ｃ２と、ハーフ座布団部、即ち、基準座布団部３０に一辺が接続されてなる縦長Ｘ、横長Ｙ／２からなり、外側に位置する意匠性を表現した外座布団部Ｃ２とを具備し、各基準座布団部３０及び内座布団部４０及び外座布団部５０に内蔵される内蔵カバー体３１，４１，５１に収容されたたクッション材３２，４２，５２と、基準座布団部３０と内座布団部４０及び外座布団部５０を重ね合わせた状態で両者間を接続または解除自在に取付けた複数個の片側スナップボタンａ，ｂ，・・・ｋ，ｌから構成したものである。
【００４７】
本実施の形態の長座布団は、基準座布団部３０と内座布団部４０と外座布団部５０で構成される。基準座布団部３０と内座布団部４０は内接続部Ｃ１によって接続され、両者を重ね合わせることができる。複数個の片側スナップボタンａ，ｂ，・・・ｋ，ｌ、必要に応じて片側スナップボタンｍ，ｎ，ｏ，ｐによって両者間を接続または解除自在である。また、基準座布団部３０と外座布団部５０は外接続部Ｃ２によって接続され、両者を重ね合わせが可能であり、複数個の片側スナップボタンａ，ｂ，・・・ｋ，ｌ、必要に応じて片側スナップボタンｍ，ｎ，ｏ，ｐによって両者間を接続または解除自在である。
【００４８】
したがって、縦長Ｘ、横長Ｙで平面積Ｘ・Ｙの意匠性を表現した基準座布団部３０に対して、外接続部Ｃ２によって接続した内座布団部４０及び外座布団部５０を、内接続部Ｃ１によって重ね、片側スナップボタンａ，ｂ，・・・ｋ，ｌによって両者間を接続または解除自在としたものを接続し、片側スナップボタンａ，ｂ，・・・ｋ，ｌによって縦方向、横方向の相対移動を禁止し、二重の厚みの座布団として使用可能としたものである。
【００４９】
また、内座布団部４０と外座布団部５０を外接続部Ｃ２によって重ね、片側スナップボタンａ，ｂ，・・・ｋ，ｌによって両者間を接続または解除自在としたものを、縦長がＸ、横長がＹで平面積がＸ・Ｙの意匠性を表現した基準座布団部３０に接続し、片側スナップボタンａ，ｂ，・・・ｋ，ｌによって縦方向、横方向の相対移動が禁止され、枕付きの長座布団として、座椅子と組み合わせて腰座布団としても使用できる。また、防災頭巾として内座布団部４０と外座布団部５０の間に、頭部を入れることができる。
【００５０】
そして、縦長がＸ、横長がＹで平面積Ｘ・Ｙの意匠性を表現した基準座布団部３０に重ねて内座布団部４０を内接続部Ｃ１によって、及び外座布団部５０を、外接続部Ｃ２によって接続し、片側スナップボタンａ，ｂ，・・・ｋ，ｌによって両者間を接続または解除自在にする。これによって、縦長Ｘ、横長Ｙで平面積Ｘ・Ｙの意匠性を表現した基準座布団部３０の１／２の位置に、片側スナップボタンａ，ｂ，・・・ｋ，ｌによって縦方向、横方向の相対移動が禁止された三重の座布団が得られる。これは、胡坐をかくときの臀部枕等として使用できる。
【００５１】
また、本実施の形態の長座布団の基準座布団部３０は、縦長Ｘ、横長Ｙで平面積Ｘ・Ｙの１枚の座布団で構成したものであるから、二重に重ねる場合には、長座布団であることが見栄えからは認識されない状態で使用可能となる。また、縦長Ｘ、横長Ｙで平面積Ｘ・Ｙの意匠性を表現した基準座布団部３０が、座布団の基礎になるので、人が腰を下ろし、話に夢中になっても、座布団が臀部の下から移動することがない。
【００５２】
本実施の形態の長座布団の基準座布団部３０は、内側に位置する内座布団部４０及び外側に位置する外座布団部５０から構成したものであるから、二重に重ねた座布団の内座布団部４０と外座布団部５０は、外接続部Ｃ２も重ねられるから、その溝に乳幼児を寝させると、寝返り等で容易に転がることがなく、寝させることができる。
【００５３】
このように、本実施の形態の長座布団は、縦長Ｘ、横長Ｙで平面積Ｘ・Ｙの基準座布団部３０と、少なくとも、基準座布団部３０に連結し、縦長Ｘまたは横長Ｙを二つ折れとする内座布団部４０及び外座布団部５０の２個のハーフ座布団部(４０，５０)とからなる長座布団である。
そして、本実施の形態の長座布団は、意匠性を表現した基準座布団部３０と、基準座布団部３０の一辺と接続された内接続部Ｃ１と、内接続部Ｃ１に一辺が接続された基準座布団部３０側に対向する意匠性を表現したハーフ座布団部とからなる内座布団部４０と、内座布団部４０の基準座布団部３０の反対側の一辺と接続された外接続部Ｃ２と、外接続部Ｃ２に一辺が接続されたハーフ座布団部とからなる意匠性を表現した外座布団部５０とを具備し、基準座布団部３０及び内座布団部４０及び外座布団部５０の各々に内蔵される内蔵カバー体３２，４２，５２に収容されたたクッション材３１．４２，５２と、基準座布団部３０と内座布団部４０及び外座布団部５０を二重に重ね合わせた状態で両者間を接続またはその解除を自在に取付けた１０個の片側スナップボタンａ，ｂ，・・・ｋ，ｌと外座布団部５０の下面の図示しない４個の片側スナップボタンｍ〜ｐとから構成したものである。
【００５４】
殊に、本実施の形態の長座布団は、図１０のように、紐８２の両端に片側スナップボタン８１，８３，８４，８５を取付けた椅子用紐８０を用意することにより、椅子９０の背凭れ９１、座部９２の固定用とすることができる。この椅子用の長座布団に限らず、児童生徒用の椅子９０の座布団としても使用できる。
本実施の形態の長座布団は、図１１のように、座椅子に使用することもできる。この場合にも、座椅子１００の背側の背凭れ１０２に、外座布団部５０を椅子用紐８０の片側スナップボタン８１，８３で固着する。また、座椅子１００の下部も背凭れ１０２に、内座布団部４０を椅子用紐８０の片側スナップボタン８１，８３で固着する。
【００５５】
座部１０１についても椅子用紐８２の片側スナップボタン８１，８３で固着する。このように使用しているとき、仮に地震が発生したとすると、児童生徒は椅子用紐８０を椅子１００の背凭れ１０２及び座部１０１から引き離す。この椅子用紐８０の分離は児童生徒でも数秒以内で実施できる。
即ち、本実施の形態の長座布団は、座椅子１００にも使用できるし、通常の学習机と対になった椅子９０にも使用できる。
【００５６】
本実施の形態の長座布団は、座椅子１００、椅子９０にも取付けができ、また、児童生徒が椅子用紐８０を椅子９０の背凭れ９１及び座部９２から除去すると、内座布団部４０と外座布団部５０を片側スナップボタン８１，８３とで接続する。そして、頭部を内座布団部４０と外座布団部５０の隙間に入れ、そして、先生の避難指示が出るまでに、椅子用紐８０を接続して、手で布団を持たなくても、避難誘導には支障がない体制とすることができる。
したがって、児童生徒は内座布団部４０と外座布団部５０で防災頭巾を形成し、かつ、基準座布団部３０で背中を落下物から守ることができる。また、椅子用紐８０を全部使用した児童生徒は、両手がフリーになり、友達同士を誘導することができる。
【００５７】
この実施の形態の長座布団は、基準座布団部３０は縦長Ｘ、横長Ｙ、ハーフ座布団部としての内座布団部４０は縦長Ｘ、横長Ｙ／２、また、ハーフ座布団部としての外座布団部は縦長Ｘ、横長Ｙ／２としたものであるが、ここには、内接続部Ｃ１、外接続部Ｃ２，Ｃ３の幅はゼロと見做している。特に、防災頭巾として使用する長座布団は、横長をＹ／２〜Ｙ／３程度に設定することもできる。
【００５８】
本発明を実施する場合のクッション材３２，４２，５２は、所定の厚みの直方体形状の合成樹脂製の緩衝材からなり、ポリエステルファイバー等の短繊維からなる羽毛代替え素材としての粒わた、球状綿と呼ばれる綿（わた）、或いは綿花の場合には、その断面が湾曲するような膨らみのある形状に綿入れしてもよい。或いは、クッション材３２，４２，５２として立体網状構造体としてもよい。何れにせよ、空気を含む構成体が望ましい。
【００５９】
ここで、ハーフ座布団部とは、具体的には、外座布団部１０及び内座布団部２０並びに内座布団部４０及び外座布団部５０の各々であり、縦長Ｘ、横長Ｙ／２または縦長Ｘ／２、横長Ｙであるが、製造においては、正確な縦長Ｘ、横長Ｙの寸法を必要とするものではなく、１〜１．５割程度の誤差を問題とするものではない。
また、本発明では、片側スナップボタンａ，ｂ，・・・ｋ，ｌ、片側スナップボタンｍ，ｎ，ｏ，ｐ、片側スナップボタン８１，８３として説明しているが、本発明を実施する場合の接合手段はスナップボタンに限らず、紐、接着布（マジックテープ（登録商標））、マグネットボタン等の接続及び解除を行った結果、作業性及び複数に重ねた場合の安定性等の総合評価により、スナップボタンの使用が好適であることが判明した。
【符号の説明】
【００６０】
１０    外座布団部（ハーフ座布団部）
２０    内座布団部（ハーフ座布団部）
３０    基準座布団部
３１，４１，５１    内蔵カバー体
３２，４２，５２    クッション材
１３，２３，３３，４３，５３    ファスナー
１４，２４，３４，４４，５４    座布団カバー
４０    内座布団部（ハーフ座布団部）
５０    外座布団部（ハーフ座布団部）
８０    椅子用紐
Ｃ１    内接続部
Ｃ２    外接続部
Ｃ３    外接続部
ａ〜ｌ    片側スナップボタン
ｍ〜ｐ    片側スナップボタン
【図１】
2018143700.tif 000003
【図２】
2018143700.tif 000004
【図３】
2018143700.tif 000005
【図４】
2018143700.tif 000006
【図５】
2018143700.tif 000007
【図６】
2018143700.tif 000008
【図７】
2018143700.tif 000009
【図８】
2018143700.tif 000010
【図９】
2018143700.tif 000011
【図１０】
2018143700.tif 000012
【図１１】
2018143700.tif 000013